(57)【要約】      （修正有）【課題】本発明は薄物と厚物の双方、あるいはいずれか一方のみを包装並びに店頭陳列に供することが可能な包装用容器を提供する。【解決手段】箱本体の基礎面の一端に形成されるフラップが基礎面の一端とその一端から所定の間隔でもって折り曲げ可能位置を設け、その異なる折り曲げ可能位置を変更することによって、単一の紙材で厚物商品と薄物商品とを一緒に、あるいは厚物商品と薄物商品を別々に収納することができ、並びに店頭陳列に供することを可能とし、紙資源の無駄をなくし、廃棄するときは、分別作業が不要となるなど重要者にとっては煩わしい作業を省力化できる点が好ましい。反対に、供給者側は、種々の包装素材を準備する必要がないので、探し回るという非効率な作業が除去でき、さらに限られたスペースが有効に利用できるという包装用容器である。【選択図】図７
2018177357.tif 000002
【特許請求の範囲】
【請求項１】
箱本体の基礎面の一端に形成されるフラップが基礎面の一端とその一端から所定の間隔でもって折り曲げ可能として、単一の素材で厚物商品と薄物商品を一緒に、あるいは別々に収納することができる包装用容器。
【請求項２】
単一の素材が紙材である請求項１に記載の包装用容器
【請求項３】
単一の素材がプラスチックである請求項１に記載の包装用容器
【請求項４】
単一の素材が金属である請求項１に記載の包装用容器
【請求項５】
基準面と、  
基礎面の長さや奥行を基準として、
長さ方向の相対向する辺側の一端に奥行と相等しい長さで形成される矩形形状の第一フラップと第二フラップと、
基準面の奥行方向の一端に奥行と相等しい長さで形成される正方形状の第三フラップと、
第三フラップと相対向する基準面の他端に形成される第四フラップと、
第四フラップには、基準面を基準とする第一位置とこの第一位置から所定の間隔を空けて形成さる第二位置にミシン罫が形成され、
第一位置で折り曲げる際には、厚物が収納できる空間が
第二位置で折り曲げる際には、薄物が収納できる空間が
形成される請求項１、請求項４に記載の包装用容器。
【請求項６】
正方形の両側に第四フラップのミシン罫と同一の間隔である幅、この正方形の一辺と同一長さをもつ第一耳部材が第１フラップ側に折り曲げ可能に形成された請求項１、請求項５に記載の包装用容器。
【発明の詳細な説明】
【技術分野】
【０００１】
本発明は、厚物商品（例えば、繊維製品「靴下やタオルなど」や、立体構造を持つアクセサリや厚みを持つ小物「財布や名刺入れや筆記具」や、電子機器「エネルギー変換装置や入力出力記憶制御演算装置とそれらに付属するケーブルやコネクタなどの立体構造の製品」など）と、薄物商品（例えば、紙製品「メモ用紙やチケットや会員証など」、プラスティックカード「キャッシュカードやクレジットカードやトレーディングカードなど」、フィルム状膜「写真フィルムや液晶保護フィルムなど」や光学記録媒体「CDやDVDなど」や金券「商品券や銀行券」など）とを一緒に、あるいは厚物商品と薄物商品とかを別々に単一の素材で梱包並びに商品店頭陳列に供することができる包装用容器に関する。
【背景技術】
【０００２】
今日のようにコンピュータが発展し、エレクトリック商取引（EC）での商取引が盛んになってきています。この商取引では、薄物商品あるいは厚物商品を問わず、多種多様な商品が売り買いされている。
【０００３】
出品者は、購入された商品を包装用容器で梱包して購買者に配送し、購買者が包装用容器で梱包された商品を解く作業をする必要がある。
【０００４】
配送作業の前に、出品者は、多数の注文された商品を厚物商品や薄物商品が問わず、一品一品選んで梱包しなければならず、多大な労力が必要となります。
【０００５】
また、出品者側には、多数出品している商品ごとの梱包用容器を準備しておかなければならず、商品を保管するスペースとは別に包装用容器を保管するスペースが必要となるとともに、購入された商品に適応した包装用容器を探すのに多くの時間が必要となるなど、作業が煩わしく、作業に必要とする時間が多大にかかるとういう問題があった。
【０００６】
他方、購買者側にとっても、多数の商品を購入した場合、多くの梱包を解かなければならないこと、宛名や住所といった個人情報が記載され、貼付された伝票を必ず個人情報がわからないように破り捨てなければならないことなど煩わしい作業が増えるとともに個人情報が洩れていないかという心労がつきまとうという課題が生じていました。
【０００７】
単一の素材でもって、厚物である商品および薄物である商品を一緒に、別に薄物である商品単独で梱包並びに店頭陳列に供することを可能とする包装用容器は、従来なかった。
【発明の概要】
【発明が解決しようとする課題】
【０００８】
本発明は、薄物から厚物までの多様性のある商品を一つの梱包で可能し、販売者側の包装用容器の管理を容易化すると共に、包装用容器の保管に必要とするスペースをも最小に抑え、反面、購買者側にとっては、一つの梱包を解くだけで作業がすみ、この作業による煩わしさをなくすことを目的としています。
【課題を解決するための手段】
【０００９】
本発明は、上述のような目的を達成するため、箱本体の基礎面の一端に形成されるフラップが基礎面の一端とその一端から所定の間隔で折り曲げ可能とした構成として、単一の素材で厚物商品と薄物商品を一緒に梱包並びに店頭陳列に供することができるし、しかも薄物商品だけでも梱包並びに店頭陳列に供することもできる。
【００１０】
請求項２には紙材、請求項３にはＰＥＴ部材や金属蒸着フィルムのようなプラスチックおよび請求項４にはブリキのような金属が素材として用いられることができる。
【００１１】
請求項５に記載の包装用容器は、より詳細な構成を示すもので、
基準面と、  
基礎面の長さや奥行を基準として、
長さ方向の相対向する辺側の一端に奥行と相等しい長さで形成される矩形形状の第一フラップと第二フラップと、
基準面の奥行方向の一端に奥行と相等しい長さで形成される正方形状の第三フラップと、
第三フラップと相対向する基準面の他端に形成される第四フラップと、
第四フラップには、基準面を基準とする第一位置とこの第一位置から所定の間隔を空けて形成さる第二位置にミシン罫が形成され、
このミシン罫が第四フラップの折り曲げ位置を変更でき、
第一位置で折り曲げる際には、厚物が収納できる空間が
第二位置で折り曲げる際には、薄物が収納できる空間が
形成されるのである。
【００１２】
請求項６に記載の包装用紙器は、第三フラップの両側に第四フラップのミシン罫の間隔である幅とこの正方形の一辺と同一長さをもつ第一耳部材が第１フラップ側に折り曲げ可能に形成された構成とし、単一の紙材で厚物商品と薄物商品を別々に収納することができると共に薄物を確実に保持できる。
【発明の効果】
【００１３】
請求項１、請求項５に記載の本発明は、単一の素材で厚物商品と薄物商品とを一緒に、あるいは厚物商品と薄物商品を別々に梱包並びに店頭陳列に供することができ、素材資源の無駄をなくし、廃棄するときは、分別作業が不要となるなど重要者にとって梱包素材を準備する必要がないので、探し回るという非効率な作業が除去でき、さらに限られた空きスペースが有効に利用できる。
【００１４】
請求項６に記載の発明は、耳部材が設けられているので、薄物商品が耳部材で保持され、薄物商品が滑り落ちないという効果を発揮する。
【図面の簡単な説明】
【００１５】
【図１】本発明の包装用容器の素材が紙材を用いた場合の包装用容器の展開図である。
【図２】第一フラップと第四フラップを直角に折り曲げ、さらに第一フラップのミシン罫の個所で折り曲げた状態を示す斜視図である。
【図３】厚物を包装することができる包装用容器の完成状態を示し、第三フラップにて引掛ける実施例の斜視図である。
【図４】厚物を包装することができる包装用容器の完成状態を示し、第四フラップにて引掛ける他の実施例の斜視図である。
【図５】薄物のみを包装できる包装用容器の完成例を示す実施例の斜視図である。
【図６】フック同士が重なりあう状態の包装用容器の実施例を示す他の実施例の斜視図である。
【図７】本発明の包装用容器の展開図例である。
【発明を実施するための形態】
【００１６】
本発明の実施するための最善の形態について、以下に説明する。
図１は、本発明の包装用容器に紙材を用いた紙器の展開図で、包装用紙器１の底面となる基準面１aは、所定の長さＬと奥行幅Ｗとで形成されている矩形からなっている。この基準面１ａの周囲には、第一フラップ１ｂ、第二フラップ１ｃ、第三フラップ１ｄおよび第四フラップ１ｅが形成されている。
【００１７】
第一フラップ１ｂと第二フラップ１ｃとは、基準面１ａの奥行となる奥行幅Ｗと同一の長さを、基準面１ａの長手方向の長さＬと同一の長さからなっていり、基準面１ａの長手方向両側に配置され、かつ、第一フラップ１ｂと第二フラップ１ｃには、基準面１ａの端部とその端部から、厚物を梱包する場合の最大限の高さに相当する所定の幅ｗでもってミシン罫１ｊが平行に設けられている。
【００１８】
第三フラップ１ｄは、基準面１ａの短手方向の一端に、基準面１ａの幅Ｗを一辺とする正方形状に形成されている。第三フラップ１ｄの両側には第一耳部材１ｆが設けられ、さらに、第三フラップ１ｄの幅方向中央部にフック孔１ｋが形成されている。
【００１９】
第一耳部材１ｆは、第一フラップ１ｂと第二フラップ１ｃとに形成された二本のミシン罫１ｊと相等しい幅ｗを、長さは基準面１ａの奥行幅Ｗをもつ長方形からなっている。
【００２０】
第一耳部材１ｆは、第三フラップ１ｄから切り離され、第一フラップ１ｂ、第二フラップ１ｃの双方とはミシン罫１ｊが形成されている。第一フラップ１ｂ側の第一耳部材１ｆは、第一フラップ１ｂ側に折り曲げることができ、第二フラップ１ｃの第一耳部材１ｆは、第二フラップ１ｃ側に折り曲げる。
【００２１】
第一耳部材１ｆには、切り込み１ｇが第三フラップ１ｄの端部近傍に設けられている。この切り込み１ｇは、第一フラップ１ｂと第二フラップ１ｃを基準面１ａに対して垂直に折り曲げると、第一耳部材１ｆも共に折り曲げられる。
【００２２】
さらに、基準面１ａ、第一フラップ１ｂと第二フラップ１ｃによって形成される空間を第一耳部材１ｆを基準面１ａ側に折り曲げて閉塞する。この折り曲げて閉塞するときに、第一耳部材１ｆ同士を切り込み１ｇで互いにかみ合わせて固定する。
【００２３】
第四フラップ１ｅは、基準面１ａの端面から幅ｗを隔てて、第一フラップ１ｂの長さＬと等間隔な幅ｗからなる２個の第三耳部材１ｈから長方形状に形成され、第三フラップ１ｄと相対向する基準面１ａの他端に配されている。
【００２４】
第三耳部材１ｈには、幅方向中央部にフック孔１ｋが形成されている。このフック孔１ｋはすべてフック中心部が一致するよう配置されている。
【００２５】
第四フラップ１ｄの基準面１ａ側に幅ｗを一辺とする正方形状の第二耳部材１ｈが設けられている。
【００２６】
基準面１ａと第二耳部材１ｈとが接する位置が第一の折り曲げ位置Ｌ１となり、基準面１ａと第二耳部材１ｈの一辺とが接する位置から所定の間隔ｗを空けた第二の折り曲げ位置Ｌ２として形成され、折り曲げ位置Ｌ１と折り曲げ位置Ｌ２にはミシン罫１ｊが設けられている。
【００２７】
厚物商品（厚物と薄物とを一緒に）を梱包並びに店頭陳列に供する場合
第一フラップ１ｂ側と第二フラップ１ｃを基準面１ａ側に折り曲げ、次に第一耳部材１ｆを基準面１ａ側へ折り曲げ、第一耳部材１ｆ同士を切り込み１ｇにてかみ合わせ、第一フラップ１ｂ側、第二フラップ１ｃ、第一耳部材１ｆ及び基準面１ａにて厚物商品を入れる空間が形成できる。
【００２８】
この空間は第一フラップ１ｂと第二フラップ１ｃとを基準面１ａ側へ折り曲げて覆われ、厚物商品を入れた後、第四フラップ１ｅを第一の折り曲げ位置Ｌ１にて折り曲げることによって、第二耳部材１ｈが第一フラップ１ｂ、第二フラップ１ｃおよび基準面１ａでできた空間に挿入し、第四フラップ１ｅを第二一の折り曲げ位置Ｌ２にて折り曲げることによって、第一フラップ１ｂと第二フラップ１ｃの上面全体を第四フラップ１ｅで覆い、さらに第三耳部材１ｉを
第一耳部材１ｆと基準面１ａとの間にできた空間に挿入して、厚物商品（あるいは、第二フラップ１ｃと第四フラップ１ｄとの間に薄物商品も一緒に）を梱包することができる。
【００２９】
第三耳部材１ｉの代わりに、第三フラップ１ｄを第一耳部材１ｆと基準面１ａとの間にできた空間に挿入して、厚物商品を梱包することができる。第三耳部材１ｉ同士を折り曲げ重ねあわせている。
【００３０】
薄物のみを梱包並びに店頭陳列に供する場合
第一耳部材１ｆのそれぞれを第一フラップ１ｂと第二フラップ１ｃに、第二耳部材１ｈを第四フラップ１ｅに重ね、それらを第一フラップ１ｂ、第二フラップ１ｃ、第二の折り曲げ位置Ｌ２で折り曲げた第四フラップ１ｅと順次重ね合わせ、第三耳部材１ｉを基準面１ａと第一フラップ１ｂとの間に挿入して薄物商品を梱包・陳列する包装用容器が完成する。
【００３１】
第四フラップ１ｅを第一の折り曲げ位置Ｌ１で折り曲げ、重ねあった第一フラップ１ｂと第二フラップ１ｃの上面に重ね、第三フラップ１ｄのフック孔１ｋ第四フラップ１ｅの一体をなす第三耳部材１ｉのフック孔１ｋとも重なった状態となり、薄物商品を梱包・陳列する包装用容器が完成する。
【００３２】
第一フラップ１ｂと第二フラップ１ｃの中央部に、第一フラップ１ｂと第二フラップ１ｃのいずれかに富士山型の凸状の係止片１ｌが、さらに、第一フラップ１ｂと第二フラップ１ｃのいずれかに富士山型の凹状の係止溝１ｍが形成され、第一フラップ１ｂと第二フラップ１ｃを折り曲げ係止片１ｌと係止溝１ｍを噛み合わせて、第一フラップ１ｂと第二フラップ１とが固定される。この固定により包装用容器の骨格が形成される。
【産業上の利用可能性】
【００３３】
本発明は、電子商取引での商品を収納する包装用紙器であり、単一の紙材で厚物商品と薄物商品とを一緒に、あるいは厚物商品と薄物商品を別々に収納することができ、ならびに厚物商品と薄物商品を単一素材で店頭陳列に供することを可能とし、紙資源の無駄をなくし、廃棄するときは、分別作業が不要となるなど重要者にとっては煩わしい作業を省力化できる点が好ましい。
【００３４】
反対に、供給者側は、種々の包装素材を準備する必要がないので、探し回るという非効率な作業が除去でき、さらに限られた空きスペースが有効に利用できるという有用なものである。
【符号の説明】
【００３５】
１  包装用容器
１ａ  基準面
１ｂ  第一フラップ
１ｃ  第二フラップ
１ｄ  第三フラップ
１ｅ  第四フラップ
１ｆ  第１耳部材
１ｇ  切り込み
１ｈ  第２耳部材
１ｉ  第３耳部材
１ｊ  ミシン罫
１ｋ  フック孔
１ｌ  係止片
１ｍ  係止溝
L１  第一の折り曲げ位置
L２  第二の折り曲げ位置
【図１】
2018177357.tif 000003
【図２】
2018177357.tif 000004
【図３】
2018177357.tif 000005
【図４】
2018177357.tif 000006
【図５】
2018177357.tif 000007
【図６】
2018177357.tif 000008
【図７】
2018177357.tif 000009